(57)【要約】【課題】  従来必要とされた浸漬槽部と同容積の貯留槽部を必要とせずに小型化を図り得ると共に、スチロールパネルの浸漬作業や取出作業に良好な作業性を確保しつつ任意枚数のスチロールパネルを温水で殺菌処理できて使い勝手の向上した水耕栽培用スチロールパネル殺菌槽を提供する。【解決手段】  水耕栽培用スチロールパネル殺菌槽１は、スチロールパネル２に着脱自在に取り付けた金属製の枠材３と、スチロールパネル２を浸漬する温水を貯留するための上方に開口せる浸漬槽部４とを有する。浸漬槽部４内に上記スチロールパネル２に取り付けた金属製の枠材３をスライド自在に挿通するレール材７を配置する。レール材７を鉛直方向に対して５〜１０°の範囲で傾斜させる。【選択図】図１
2007259747.tif 000002
【特許請求の範囲】
【請求項１】
スチロールパネルに着脱自在に取り付けた金属製の枠材と、スチロールパネルを浸漬する温水を貯留するための上方に開口せる浸漬槽部とを有し、浸漬槽部内に上記スチロールパネルに取り付けた金属製の枠材をスライド自在に挿通するレール材を配置すると共に、上記レール材を鉛直方向に対して５〜１０°の範囲で傾斜させたことを特徴とする水耕栽培用スチロールパネル殺菌槽。
【請求項２】
浸漬槽部の外周部に浸漬槽部内を加熱する熱媒を内在させる加熱槽部を一体に設けたことを特徴とする請求項１に記載の水耕栽培用スチロールパネル殺菌槽。
【請求項３】
上記枠材に操作ハンドルの操作によって側方に突没する引掛部を備えると共に、突出状態にある上記引掛部が下方から引っ掛かってロックされる被引掛部を浸漬槽部に備えたことを特徴とする請求項１又は２に記載の水耕栽培用スチロールパネル殺菌槽。
【請求項４】
熱媒を循環させる循環ポンプを備えた熱媒循環流路を加熱槽部に接続すると共に、この熱媒循環流路に熱媒を加熱する外部の熱機器に接続するための熱媒入口と熱媒出口とを備えたことを特徴とする請求項１乃至３に記載の水耕栽培用スチロールパネル殺菌槽。
【発明の詳細な説明】
【技術分野】
【０００１】
本発明は、水耕栽培に用いるスチロールパネルを温水に浸漬して殺菌するための水耕栽培用スチロールパネル殺菌槽に関するものである。
【背景技術】
【０００２】
水耕栽培で野菜等の植物を植設するための発泡スチロール製のスチロールパネルは使用に当たって雑菌が付着し易いために、雑菌による植物への被害を抑えて良好な水耕栽培を行っていくには、水耕栽培の開始毎に新規のパネルを用いるようにしたり、使用した後のパネルに殺菌を施したりする必要がある。ここで、パネルの殺菌方法には主にパネルを薬液に浸漬する薬液浸漬法や、パネルを温水に浸漬する温水浸漬法が知られている。水耕栽培の開始毎に新規のパネルを用いるのはもとより、薬液浸漬法では薬液購入などのコストがかかるものであり、また薬液浸漬法では薬液に浸漬した後のパネルから薬液を除去するための洗浄が必要であってその工程も煩雑であることから、水耕栽培の普及には、簡易作業で比較的経済的でもある温水浸漬法によるパネルの殺菌方法への期待が大きい。
【０００３】
温水浸漬法によってパネルの殺菌を行う水耕栽培用スチロールパネル殺菌槽１としては、従来、たとえば図６のように、スチロールパネル２を浸漬する温水を貯留するための浸漬槽部４と、浸漬槽部４内に入れるまで温水を貯留しておく貯留槽部５０と、水を加熱して温水を得るボイラ５１とを有して構成されている（たとえば特許文献１参照）。この水耕栽培用スチロールパネル殺菌槽１にあっては、図７（ａ）のように温水が供給される前の浸漬槽部４内に複数枚のスチロールパネル２を充填するように縦姿勢にして略動かないように重ね並べて配置し、図７（ｂ）のように比重の小さいスチロールパネル２が温水を入れた浸漬槽部４内で浮き上がることを防ぐために浸漬槽部４の上方を押さえ蓋５２で閉じ、この状態で図７（ｃ）のように貯留槽部５０に貯留しておいた温水を浸漬槽部４内に入れ、浸漬槽部４でスチロールパネル２の温水による殺菌処理が行われている。
【０００４】
しかしながら、上記水耕栽培用スチロールパネル殺菌槽１にあっては、浸漬槽部４に温水を入れた際にスチロールパネル２に浮力がかかっても浸漬槽部４内でスチロールパネル２が略動かないように、浸漬槽部４内に充填状態にできる複数枚のスチロールパネル２を一組として、浸漬槽部４内にスチロールパネル２を配置しなければならず、たとえば一枚のスチロールパネル２のみを温水で殺菌することはできないのであり、使い勝手が悪いという問題があった。
【０００５】
更に言うと、スチロールパネル２を浸漬槽部４内に配置する際に複数枚のスチロールパネル２が浸漬槽部４内を充填するに満たない状態ではスチロールパネル２が浸漬槽部４内で倒れてしまったり、また処理後にスチロールパネル２を浸漬槽部４から取り出す際に重合するスチロールパネル２の同士が水の表面張力で吸着してスチロールパネル２単体のみを取り出しにくい等、スチロールパネル２の浸漬作業や取出作業に良好な作業性も期待できず、この点でも使い勝手が悪いものであった。
【０００６】
また、スチロールパネル２は比重が小さくて温水内では浮力で浮きあがってしまうから、浸漬槽部４内にあらかじめ温水を貯留させた状態で浸漬槽部４内にスチロールパネル２を入れることはできず、つまり上記のように浸漬槽部４内にスチロールパネル２をあらかじめ配置した状態で浸漬槽部４内に温水を入れる手順が必須となっており、したがって浸漬槽部４内に入れるまで温水を貯留しておくための浸漬槽部４と同容積の貯留槽部５０が必要となり、その結果、水耕栽培用スチロールパネル殺菌槽１が大型化し、大きな設置面積が必要とされるという問題があった。
【特許文献１】特開平７−２９８７９８号公報
【発明の開示】
【発明が解決しようとする課題】
【０００７】
本発明は上記の従来の問題点に鑑みて為したものであって、従来必要とされた浸漬槽部と同容積の貯留槽部を必要とせずに小型化を図り得ると共に、スチロールパネルの浸漬作業や取出作業に良好な作業性を確保しつつ任意枚数のスチロールパネルを温水で殺菌処理できて使い勝手が向上した水耕栽培用スチロールパネル殺菌槽を提供することを課題とするものである。
【課題を解決するための手段】
【０００８】
上記課題を解決するために本発明の請求項１に係る水耕栽培用スチロールパネル殺菌槽は、スチロールパネル２に着脱自在に取り付けた金属製の枠材３と、スチロールパネル２を浸漬する温水を貯留するための上方に開口せる浸漬槽部４とを有し、浸漬槽部４内に上記スチロールパネル２に取り付けた金属製の枠材３をスライド自在に挿通するレール材７を配置すると共に、上記レール材７を鉛直方向に対して５〜１０°の範囲で傾斜させたことを特徴とする。
【０００９】
これによると、スチロールパネル２は比重が小さくてそのままでは水に浮いてしまうのであるが、スチロールパネル２を金属製の枠材３に取り付けたことで金属製の枠材３も含めたスチロールパネル２全体の重さを増加できて水中に浸漬できるのであり、このときにはレール材７によって浸漬槽部４の所定位置にスチロールパネル２を位置規制させて配置させることができる。つまり、従来のようにスチロールパネル２がばらばらに浮かないように浸漬槽部４に押さえ蓋５２をすると共に浸漬槽部４内に複数枚のスチロールパネル２を略動かないように充填した状態にしなくてもよく、一枚のスチロールパネル２であっても浸漬槽部４で温水による殺菌処理を行うことができるのであり、良好な使い勝手で温水による殺菌処理を行うことができる。更に言うと、金属製の枠材３に取り付けたスチロールパネル２は水に浸漬可能であるから、従来のような浸漬槽部４内にスチロールパネル２をあらかじめ配置した状態で浸漬槽部４内に温水を入れるプロセスのみならず、浸漬槽部４内にあらかじめ温水を貯留させた状態で浸漬槽部４内にスチロールパネル２を入れるプロセスも採用することができ、この点でも良好な使い勝手で温水による殺菌処理を行うことができると共に、特に後者のプロセスを採用する場合には浸漬槽部４内に入れるまで温水を貯留しておく従来の貯留槽部５０が必要となくなり、水耕栽培用スチロールパネル殺菌槽１の小型化、ひいてはその設置面積の低減化を図ることができる。また、レール材７は鉛直方向に対して５〜１０°の範囲で傾斜されているので、平面視のスチロールパネル２の収納スペースをスチロールパネル２の厚み寸法と略同等にできて該スチロールパネル２の収納スペースを小さくできると共に、スチロールパネル２の浸漬作業や取出作業の際にはスチロールパネル２の荷重をレール材７に支えさせつつも水の抵抗を受けにくい水面に略垂直なスチロールパネル２の姿勢でスライド移動させることができ、良好な動作のもとスチロールパネル２の浸漬作業や取出作業を行うことができ、この点でも良好な使い勝手で温水による殺菌処理を行うことができる。
【００１０】
また請求項２に係る水耕栽培用スチロールパネル殺菌槽は、請求項１において、浸漬槽部４の外周部に浸漬槽部４内を加熱する熱媒を内在させる加熱槽部５を一体に設けたことを特徴とする。これによると、浸漬槽部４内に貯留するスチロールパネル２を浸漬するための温水を浸漬槽部４の外周部の加熱槽部５に内在させた熱媒によって加熱するようにしたので、つまり熱媒としては清潔な水を用いないでも済み、たとえば熱機器の廃熱温水等を用いることもできるのであって、水耕栽培用スチロールパネル殺菌槽１の効率良い使用形態の促進を図ることができる。
【００１１】
また請求項３に係る水耕栽培用スチロールパネル殺菌槽は、請求項１又は２において、上記枠材３に操作ハンドル２１の操作によって側方に突没する引掛部２２を備えると共に、突出状態にある上記引掛部２２が下方から引っ掛かってロックされる被引掛部８を浸漬槽部４に備えたことを特徴とする。これによると、浸漬槽部４内の温水に浸漬された状態のスチロールパネル２は浸漬槽部４の被引掛部８に枠材３の引掛部２２を下方から引っ掛けた状態でロックできるのであって、たとえスチロールパネル２が浸漬槽部４内で不意に生じた水流等にあおられたとしても、スチロールパネル２を所定位置に維持させ続けることができるから、良好な使い勝手で温水による殺菌処理を行うことができるのであり、また、上記浸漬槽部４の被引掛部８への枠材３の引掛部２２のロックまたは解除は操作ハンドル２１の操作１つで行えるから、この点でも良好な使い勝手で温水による殺菌処理を行うことができるのである。更に言うと、上記浸漬槽部４の被引掛部８に枠材３の引掛部２２をロックまたは解除可能にしたことで、枠材３を取り付けたスチロールパネル２の比重を浸漬させる温水よりも多少軽いものとした場合には、浸漬槽部４の被引掛部８に枠材３の引掛部２２をロックさせて浸漬槽部４内にスチロールパネル２を不具合なく配置できると共に、浸漬槽部４の被引掛部８への枠材３の引掛部２２のロックを解除させてスチロールパネル２にかかる浮力を利用したスチロールパネル２の浸漬槽部４からの力をほとんど必要としない取り出し作業を可能にし、この点でも良好な使い勝手で温水による殺菌処理を行うことができる。
【００１２】
また請求項４に係る水耕栽培用スチロールパネル殺菌槽は、請求項１乃至３のいずれかにおいて、熱媒を循環させる循環ポンプ２９を備えた熱媒循環流路１１ａを加熱槽部５に接続すると共に、この熱媒循環流路１１ａに熱媒を加熱する外部の熱機器２７に接続するための熱媒入口３０と熱媒出口３１とを備えたことを特徴とする。これによると、コージェネ式の発電機２７ａの廃熱温水やボイラの温水等を利用してスチロールパネル２の温水による殺菌処理を行うことができるのであり、発電機２７ａ等の外部の熱機器２７も含めて良好な熱効率の水耕栽培用スチロールパネル殺菌槽１を実現できる。
【発明の効果】
【００１３】
本発明は、従来必要とされた浸漬槽部と同容積の貯留槽部を必要とせずに小型化を図り得るという利点、スチロールパネルの浸漬作業や取出作業に良好な作業性を確保できる利点、任意枚数のスチロールパネルを温水で殺菌処理できる利点を有する。
【発明を実施するための最良の形態】
【００１４】
以下、本発明を添付図面に示す実施形態に基いて説明する。本発明の水耕栽培用スチロールパネル殺菌槽１は、図２のように、金属製の枠材３を取り付けたスチロールパネル２を浸漬する温水を貯留する浸漬槽部４と該浸漬槽部４の外周部に浸漬槽部４内を加熱する熱媒を内在させる加熱槽部５とが一体化された２重殻構造の槽本体６を有している。浸漬槽部４は底壁４ｂと四周の側壁４ａとで成る上方に開口せる水槽であり、また、加熱槽部５は内部が閉空間にされた箱体であって、本例では浸漬槽部４の外周部のうちの一の側壁４ａと底壁４ｂとに亙る部分に沿って形成されている。なお便宜上、加熱槽部５が覆う浸漬槽部４の側壁４ａの面から外方に面する方向を前方（矢印ａ）とし、上記前方の反対側の方向を後方（矢印ｂ）とし、平面視内で上記前後方向と直交する方向を左方（矢印ｃ）、右方（矢印ｄ）として、以下説明していく。
【００１５】
浸漬槽部４の左右の上縁部には、枠材３の引掛部２２を引っ掛けて枠材３を浸漬槽部４内のスチロールパネル２の浸漬位置に収容させる被引掛部８が設けられると共に、枠材３の引掛部２２を上方から引っ掛けて枠材３を吊持可能にする枠材吊持体４４が設けられている。被引掛部８は中央が引掛穴８ａとなる矩形枠部材で構成され、レール材７と同様の前後方向の所定間隔毎に配置されている。左右の浸漬槽部４は対向するように配置されており、左右の被引掛部８の引掛穴８ａも同一軸上に位置するように対向している。浸漬槽部４の後面（後方に面する側壁４ａ）には、その上部部位に浸漬槽部４に貯留した過剰量の温水を溢れさせ得るオーバーフロー口９が形成されており、その下部部位に浸漬槽部４に貯留した温水を排水可能にする排水口１０が形成されている。
【００１６】
加熱槽部５は、浸漬槽部４の前側を覆う縦槽部５ａと浸漬槽部４の底側を覆う横槽部５ｂとを連通して一体化したＬ字状の水槽であって、外部の熱機器２７にて加熱された熱媒がその内部を流れるようになっており、この熱媒によって浸漬槽部４内（浸漬槽部４に貯留された温水）を浸漬槽部４の底側及び前側から加熱可能にしている。すなわち、加熱槽部５は外部の熱機器２７から至る熱媒流路１１に接続されるのであり、具体的に、横槽部５ｂの後方側部分に、接続した熱媒流路１１からの熱媒を加熱槽部５内に供給する熱媒供給口１２が設けられており、縦槽部５ａの上下の中央部分に、加熱槽部５を通った熱媒を接続した熱媒流路１１に排出する熱媒排出口１３が設けられている。なお、縦槽部５ａの上部には加熱槽部５に内在した過剰量の熱媒を溢れさせ得るオーバーフロー口１４が形成されており、縦槽部５ａの下部で横槽部５ｂと同高さ位置には加熱槽部５に内在した熱媒を排水可能にする排水口１５が形成されている。なお４３は加熱槽部５に流れる熱媒の内容量を検出する液面計である。
【００１７】
浸漬槽部４には金属製の枠材３を取り付けたスチロールパネル２を浸漬するのであるが、このスチロールパネル２は図１のように厚みを持った平面視で矩形状の発泡スチロール製のパネルであり、厚み方向に野菜等の栽培植物を植設するための貫通穴２ａが縦横に所定間隔毎に穿設されている。たとえばスチロールパネル２は上下長６００×幅９００×厚み４５ｍｍの板状体である。また、枠材３は図３のように長尺の断面Ｌ字状のアングル材を矩形状に組み上げてスチロールパネル２の外縁を嵌合可能にしたパネル収納部１６を有すると共に、パネル収納部１６の上方に把持部１８を有している。アングル材の一片は枠材３の外端を構成し他片はパネル収納部１６の中央部に向けて突出するパネル引掛片１７となっており、パネル引掛片１７は枠材３の厚み方向の一端側に統一して形成されている。なお、パネル収納部１６の左右の中央部にも板材で構成したパネル引掛片１７が上下に掛け渡されている。パネル引掛片１７が形成された枠材３の厚み方向の一端側を枠材３の正面とすると、スチロールパネル２は枠材３のパネル収納部１６に裏面側から取り付け可能にされている。
【００１８】
把持部１８は、枠材３の幅方向（左右方向）にわたるように架設された横桟１９を有し、上記横桟１９の左右の中央部分に使用者が枠材３を持つためのＵ字棒状の取っ手２０が上方に向けて突設されると共に、上記取手を持った手により操作可能な取っ手２０の真下位置に操作ハンドル２１が設けられている。操作ハンドル２１は使用者のひねり操作で枠材３の上端部の両側面から突没する棒状の引掛部２２の突没操作を行う部位であり、詳しくは、把持部１８の横桟１９から上端部が突設されると共に下端部が把持部１８の横桟１９の下面に設けたリンク機構２３の一端に連結され、このリンク機構２３の他端に連結した引掛部２２を枠材３の上端部の側面から突没できるようになっており、この枠材３の上端部の側面から突出した引掛部２２は浸漬槽部４の被引掛部８の引掛穴８ａに挿通されて引っ掛けることが可能になっている。ここで、リンク機構２３としては、たとえば図４のように操作ハンドル２１の下端部にアーム２４を取付け、アーム２４の両端にそれぞれ湾曲したロッド２２ａの基端をピン接合し、引掛部２２となるロッド２２ａの先端を枠材３の側面に穿設した貫通孔２５に挿通して構成されたものが挙げられるが、操作ハンドル２１の回転動作を引掛部２２の往復動作に変換する機構であれば任意の機構を用いることができる。
【００１９】
浸漬槽部４の左右の側壁４ａの内面にはスチロールパネル２に取付けた金属製の枠材３の左右端部をスライド自在に挿通する一対のレール材７が前後方向の所定間隔毎に配置されている。レール材７は枠材３の左端部または右端部がスライド自在に挿入される挿通溝７ａを有した長尺のコ字チャンネル材で構成されていて、左右一対のレール材７は挿通溝７ａが互いに対向するように配置されている。そして、このレール材７は浸漬槽部４の左右の側壁４ａの内面に鉛直方向に対して５〜１０°の範囲で傾斜させて取付けられている。つまりレール材７の長手方向の鉛直方向に対する傾斜角αが５〜１０°になるようにされている。本例では上記傾斜角αは約５°にされている。具体的に本例ではレール材７は前後方向に１０個配設していて、つまり最大１０個のスチロールパネル２が同時に浸漬可能とされているが、この列設するレール材７の個数はこれに限られることはない。また詳しくはこのレール材７は浸漬槽部４の左右の側壁４ａの内面のうち上部域の部分に配設されている。なお、浸漬槽部４の左右の側壁４ａの内面のうち下部にはスチロールパネル２に取付けた金属製の枠材３の左右の下端を載置する載置材２６が取付けられている。この載置材２６は断面Ｌ字状のアングル材で構成されている。
【００２０】
しかして、スチロールパネル２を浸漬槽部４に収容した状態は、図２（ａ）のようにスチロールパネル２に取付けた金属製の枠材３の左右端部が左右一対のレール材７の各挿通溝７ａに挿入された状態で、且つ、該枠材３の下端が載置材２６に載置された状態となる。つまり、レール材７によると金属製の枠材３に取付けたスチロールパネル２を所定位置に位置規制して配置されるのである。このときスチロールパネル２はレール材７の傾斜角αと同様に鉛直方向から傾斜した状態となるが、図１のようにスチロールパネル２を取り付けた枠材３はその正面が斜め上方を向くようにして配置し、パネル収納部１６のパネル引掛片１７によってスチロールパネル２を斜め上方から抑え得るようにする。またこの状態では枠材３の引掛部２２が浸漬槽部４の被引掛部８に対向して隣接し、操作ハンドル２１による引掛部２２の被引掛部８への引っ掛け係止が可能にされている。浸漬槽部４に貯留した温水にスチロールパネル２を浸漬したときにはスチロールパネル２には浮力がかかるのであるが、上記浮力によって浮き上がろうとするスチロールパネル２はパネル収納部１６のパネル引掛片１７によって斜め上方から抑えられてパネル収納部１６の外れが有効に防止されると共に、たとえ金属製の枠材３を取付けたスチロールパネル２の全体の比重が温水よりも小さい場合でも引掛部２２の被引掛部８への係止によって金属製の枠材３を取付けたスチロールパネル２は所定位置に保持される。
【００２１】
上記構成の本例の水耕栽培用スチロールパネル殺菌槽１は以下の利点を有している。スチロールパネル２は比重が小さくてそのままでは水に浮いてしまうのであるが、スチロールパネル２を金属製の枠材３に取り付けたことで金属製の枠材３も含めたスチロールパネル２全体の重さを増加できて水中に浸漬でき、このときにはレール材７によって浸漬槽部４の所定位置にスチロールパネル２を位置させることができる。つまり、従来のようにスチロールパネル２がばらばらに浮かないように浸漬槽部４に押さえ蓋５２をすると共に浸漬槽部４内に複数枚のスチロールパネル２を略動かないように充填した状態にしなくてもよく、一枚のスチロールパネル２であっても浸漬槽部４で温水による殺菌処理を行うことができるのであり、良好な使い勝手での温水による殺菌処理が可能にされているのである。
【００２２】
また、金属製の枠材３に取り付けたスチロールパネル２は水に浸漬可能であるから、従来のような浸漬槽部４内にスチロールパネル２をあらかじめ配置した状態で浸漬槽部４内に温水を入れるプロセスのみならず、浸漬槽部４内にあらかじめ温水を貯留させた状態で浸漬槽部４内にスチロールパネル２を入れるプロセスも採用することができ、この点でも良好な使い勝手で温水による殺菌処理を行うことができる。特に後者のプロセスを採用する場合には、浸漬槽部４内に入れるまで温水を貯留しておく従来の貯留槽部５０が必要ではなくなり、更に言うと貯留槽部５０から浸漬槽部４に温水を移動させるためのポンプも必要ではなくなって、水耕栽培用スチロールパネル殺菌槽１の小型化、ひいてはその設置面積の低減化が図られるのである。
【００２３】
詳しくは、従来必要とされた該浸漬槽部４に入れる温水を貯留する浸漬槽部４と略同等の大きさの貯留槽部５０の代わりに、浸漬槽部４内を加熱する熱媒を内在させる加熱槽部５を備えたものであるが、浸漬槽部４内に入れる温水よりも加熱槽部５に内在させる熱媒を少量にすれば、加熱槽部５は貯留槽部５０よりも小さくできるのであるから、水耕栽培用スチロールパネル殺菌槽１の小型化、ひいてはその設置面積の低減化を図ることができるのである。更に言うと、上記貯留槽部５０よりも小さくできる加熱槽部５を浸漬槽部４の外周部に一体に形成した（つまり槽本体６が二重殻構造である）ので、この点でも水耕栽培用スチロールパネル殺菌槽１の小型化、ひいてはその設置面積の低減化が図られているのである。
【００２４】
また、レール材７は鉛直方向に対して５〜１０°の範囲で傾斜されているので、平面視のスチロールパネル２の浸漬槽部４内での収納スペースをスチロールパネル２の厚み寸法と略同等にできて該スチロールパネル２の収納スペースを小さくできると共に、スチロールパネル２の浸漬作業や取出作業の際にはスチロールパネル２の荷重をレール材７に支えさせつつも水の抵抗を受けにくい水面に略垂直なスチロールパネル２の姿勢でスライド移動させることができ、良好な動作のもとスチロールパネル２の浸漬作業や取出作業を行うことができ、この点でも良好な使い勝手での温水による殺菌処理が可能にされているのである。
【００２５】
なお詳しくは、本例の水耕栽培用スチロールパネル殺菌槽１では、図２（ａ）のようにレール材７に側端部を挿入して引掛部２２を枠材吊持体４４に引っ掛けることで温水を張った状態の浸漬槽部４内に吊持状態にある枠材３に対してスチロールパネル２を両手を使って装着することもできるのであり、このときスチロールパネル２は枠材３の裏面側から、上記枠材３の鉛直方向に対する傾斜角度よりもやや大きな傾斜角度となる傾斜姿勢でパネル収納部１６に向けて挿入するのであるが（矢印ｅ）、上記枠材３の鉛直方向に対する傾斜角度が５〜１０°の範囲といった略鉛直に近い傾斜角度であるので、スチロールパネル２も温水面に対して略鉛直に近い角度で挿入させることができ、作業性良くスチロールパネル２を浮力に抗ってパネル収納部１６に装着させることが可能にされているのであり、この点でも良好な使い勝手での温水による殺菌処理が可能にされているのである。
【００２６】
また、浸漬槽部４内に貯留するスチロールパネル２を浸漬するための温水を浸漬槽部４の外周部の加熱槽部５に内在させた熱媒によって加熱するようにしたので、つまり熱媒としては清潔な水を用いないでも済み、たとえば熱機器の廃熱温水等を用いることもできるのであって、水耕栽培用スチロールパネル殺菌槽１の効率良い使用形態の促進を図ることができると共に、水耕栽培用スチロールパネル殺菌槽１に対して加熱機器を別途設ける必要もなくなって水耕栽培用スチロールパネル殺菌槽１の小型化、ひいてはその設置面積の低減化が図られているのである。更に言うと、本例では加熱槽部５内に熱媒を流し通すようにされているから、加熱槽部５に供給された新たな熱媒で浸漬槽部４内を加熱し続けることができ、浸漬槽部４内を効率良く且つ継続的に加熱可能にされているのである。
【００２７】
ここで、図５には上記水耕栽培用スチロールパネル殺菌槽１の使用形態の例として、水耕栽培用スチロールパネル殺菌槽１を用いた水耕栽培用スチロールパネル殺菌システム３２を例示する。この例では、水耕栽培用スチロールパネル殺菌槽１の加熱槽部５に供給される熱媒を加熱する外部の熱機器２７としては、ガス供給源２８から供給されたガスを燃焼させて発電するガスエンジン式の発電機２７ａが構成している。この発電機２７ａはコージェネタイプであってガスの燃焼の際に発生した廃熱で発電機２７ａ内の熱媒流路を流れる熱媒を加熱している。水耕栽培用スチロールパネル殺菌槽１の加熱槽部５にはその熱媒供給口１２及び熱媒排出口１３に循環ポンプ２９を備えた熱媒循環流路１１ａが接続されると共に、この熱媒循環流路１１ａに設けた熱媒入口３０と熱媒出口３１が発電機２７ａ内の熱媒流路１１に接続されており、上記廃熱で加熱された熱媒が加熱槽部５を通って熱媒循環流路１１ａを循環するようになっている。この水耕栽培用スチロールパネル殺菌システム３２では熱媒循環流路１１ａを通る熱媒の温度が加熱槽部５の熱媒供給口１２で約７５℃であり、加熱槽部５の熱媒排出口１３で約６５℃である。この熱媒により加熱された浸漬槽部４内の温水の温度は６０〜６５℃となる。この温水にスチロールパネル２を２０分〜１時間程度浸漬させることでスチロールパネル２の殺菌処理を行うことができる。詳しくは、上記水耕栽培用スチロールパネル殺菌システム３２では、浸漬槽部４内に貯留した温水の温度を、水耕栽培用スチロールパネル殺菌槽１の運転開始時における低い温度からスチロールパネル２の殺菌処理に適した温度（６０〜７０℃）に昇温させるには時間はかかるものであるが、一旦スチロールパネル２の殺菌処理に適した温度にまで昇温させてしまえば温度の保持がなされるのであるから、次回からは昇温を待たず即座にスチロールパネル２の殺菌処理を行うことができる。このように上記水耕栽培用スチロールパネル殺菌システム３２では、発電機２７ａの廃熱温水を高温の熱媒として利用してスチロールパネル２の温水による殺菌処理を行うことができるのであり、外部の熱機器２７も含めて良好な熱効率の水耕栽培用スチロールパネル殺菌槽１（つまり水耕栽培用スチロールパネル殺菌システム３２）が実現されているのである。
なお、上記水耕栽培用スチロールパネル殺菌システム３２は水耕栽培のシステム内に組み込まれたものである。熱媒が流れる熱媒循環流路１１ａには分岐弁３３により分岐されて冬季等に水耕栽培に用いる水を温める加温経路３５が建屋３４に向けて設けられている。また、発電機２７ａのガスの燃焼の際に生じる排ガスを処理する排ガス処理装置３６が設けられ、ＣＯ２等の有用成分を含む処理後の気体を上記建屋３４内に気体供給路３７のブロア３８によって供給可能にしている。なお図中３９は野菜等の栽培物をスチロールパネル２を用いて栽培している水耕用パレットであり、４０はガスメータ、４１は排ガス処理装置３６に付設した冷水塔、４２は気体供給路３７の開閉弁である。外部の熱機器２７としては上記例では発電機２７ａを例示したが、たとえば７０℃から８０℃程度の比較的低温の温水をつくることのできる汎用のボイラ等、任意の熱機器を用いることができる。通常、水耕業者は冬季加温用にボイラを備えるものであり、このボイラを外部の熱機器２７として用いると水耕栽培用スチロールパネル殺菌槽１の設置コストを大幅に低減することができるのであり好ましい。
【００２８】
また、本例の水耕栽培用スチロールパネル殺菌槽１では、浸漬槽部４内の温水に浸漬された状態のスチロールパネル２は浸漬槽部４の被引掛部８に枠材３の引掛部２２を下方から引っ掛けた状態でロックできるのであって、たとえスチロールパネル２が浸漬槽部４内で不意に生じた水流等にあおられたとしても、スチロールパネル２を所定位置に維持させ続けることができるから、良好な使い勝手での温水による殺菌処理が可能にされているのであり、また、上記浸漬槽部４の被引掛部８への枠材３の引掛部２２のロックまたは解除は操作ハンドル２１の操作１つで行えるから、この点でも良好な使い勝手で温水による殺菌処理が可能にされているのである。なお、操作ハンドル２１は取っ手２０で囲まれるようにしてその真下位置に設けられているから、操作ハンドル２１に物が当たったりして誤って操作がされることを取っ手２０によって保護されているという利点も有している。
【００２９】
更に言うと、上記浸漬槽部４の被引掛部８に枠材３の引掛部２２をロックまたは解除可能にしたことで、枠材３を取り付けたスチロールパネル２の比重を浸漬させる温水よりも多少軽いものとした場合には、浸漬槽部４の被引掛部８に枠材３の引掛部２２をロックさせて浸漬槽部４内にスチロールパネル２を不具合なく配置できると共に、浸漬槽部４の被引掛部８への枠材３の引掛部２２のロックを解除させてスチロールパネル２にかかる浮力を利用したスチロールパネル２の浸漬槽部４からの力をほとんど必要としない取り出し作業を可能にし、この点でも良好な使い勝手で温水による殺菌処理を行うことができるのである。なお、金属製の枠材３を取り付けたスチロールパネル２の重さが温水に浸漬させた際の浮力よりも充分に重い場合には、引掛部２２や被引掛部８を無くして水耕栽培用スチロールパネル殺菌槽１の構成の簡略化を図ることができるのは言うまでもない。
【図面の簡単な説明】
【００３０】
【図１】本発明の実施の形態の例の水耕栽培用スチロールパネル殺菌槽の斜視図である。
【図２】同上の槽本体であり、（ａ）は正面図であり、（ｂ）は左側面図であり、（ｃ）は右側面図であり、（ｄ）は上面図である。
【図３】同上の枠材であり、（ａ）は裏面図であり、（ｂ）は一部切欠側面図である。
【図４】同上のリンク機構の例を説明する枠材の上面図である。
【図５】同上の水耕栽培用スチロールパネル殺菌槽を用いた水耕栽培用スチロールパネル殺菌システムの概略構成図である。
【図６】従来技術の例の水耕栽培用スチロールパネル殺菌槽であり、（ａ）は斜視図であり、（ｂ）は概略構成図である。
【図７】（ａ）〜（ｃ）は同上のスチロールパネルの殺菌処理の手順を順に説明する説明図である。
【符号の説明】
【００３１】
１  水耕栽培用スチロールパネル殺菌槽
２  スチロールパネル
３  枠材
４  浸漬槽部
５  加熱槽部
６  槽本体
７  レール材
８  被引掛部
１１  熱媒流路
１１ａ  熱媒循環流路
２１  操作ハンドル
２２  引掛部
２９  循環ポンプ
３０  熱媒入口
３１  熱媒出口
【図１】
2007259747.tif 000003
【図２】
2007259747.tif 000004
【図３】
2007259747.tif 000005
【図４】
2007259747.tif 000006
【図５】
2007259747.tif 000007
【図６】
2007259747.tif 000008
【図７】
2007259747.tif 000009